(57)【要約】【解決手段】一端１２に刈刃１３を設けるとともに他端にエンジン１５を設ける操作杆１１と、この操作杆１１の途中（中間部）１７に連結部材（ハンドルホルダ）３２を介して取付ける操作ハンドル２０と、を備えた刈払機において、ハンドルホルダ３２を、操作杆１１側に取付ける球面ブッシュ６１と、この球面ブッシュ６１に回転可能に被せたカップ部材６２とから構成し、カップ部材６２に操作ハンドル２０を取付けることで、この操作ハンドル２０を操作杆１１に対して揺動可能に支持した。【効果】操作ハンドルを操作杆に対して揺動可能に支持することができ、操作枠の振動を球面ブッシュ及びカップ部材で吸収させることができる。この結果、操作枠の振動を操作ハンドルに伝わりにくくすることができる。【選択図】        図６
2005006528.tif 000002
【特許請求の範囲】
【請求項１】
一端に作業手段を設けるとともに他端に動力源を設ける操作杆と、この操作杆の途中に連結部材を介して取付ける操作ハンドルと、を備えた刈払機において、
前記連結部材は、前記操作杆側に取付ける球面ブッシュと、この球面ブッシュに回転可能に被せたカップ部材とからなり、カップ部材に前記操作ハンドルを取付けることで、この操作ハンドルを前記操作杆に対して揺動可能に支持したことを特徴とする刈払機。
【発明の詳細な説明】
【０００１】
【発明の属する技術分野】
本発明は刈払機の改良に関する。
【０００２】
【従来の技術】
操作杆の一端に刈刃を設けるとともに操作杆の他端にエンジンを設け、操作杆の途中に操作ハンドルを設けた刈払機が知られている（例えば、特許文献１参照。）。
【０００３】
【特許文献１】
実公昭６４−６６８２号公報（第４頁、第２図）
【０００４】
図８は特許文献１の第２図の再掲図である。ただし、同公報に記載の符号を流用した。
特許文献１の刈払機は、支持杆１４にハンドル取付具１８でハンドル４，４を取付け、支持杆１４に第１防振ゴム２２，２２を介して第１取付具２４を取付け、支持杆１４に第２防振ゴム２６，２６を介して第２取付具２８を取付け、これらの第１・第２取付具２４，２８に操作杆（不図示）を取付けることで、エンジンや刈刃などの振動を操作杆からハンドル４，４に伝わらぬように配慮したものである。
【０００５】
【発明が解決しようとする課題】
しかし、特許文献１の刈払機では、第１防振ゴム２２，２２及び第２防振ゴム２６，２６の４つの防振ゴムをハンドル４，４と操作杆との間に介在させる必要があり、刈払機のハンドル廻りの構造が複雑になる。また、部品点数も多いので組立性も悪い。
【０００６】
また、第１防振ゴム２２，２２及び第２防振ゴム２６，２６で、ある程度の振動の低減が期待できるものの、第１防振ゴム２２，２２及び第２防振ゴム２６，２６の弾力性だけに依存するのでは振動対策にも限界がある。
すなわち、簡素な構成で刈払機のハンドル（操作ハンドル）の防振対策を効果的に促進することが望ましい。
【０００７】
そこで、本発明の目的は、簡素な構成で刈払機の操作ハンドルの防振対策を効果的に行うことのできる技術を提供することにある。
【０００８】
【課題を解決するための手段】
上記目的を達成するために請求項１は、一端に作業手段を設けるとともに他端に動力源を設ける操作杆と、この操作杆の途中に連結部材を介して取付ける操作ハンドルと、を備えた刈払機において、連結部材を、操作杆側に取付ける球面ブッシュと、この球面ブッシュに回転可能に被せたカップ部材とから構成し、カップ部材に操作ハンドルを取付けることで、この操作ハンドルを操作杆に対して揺動可能に支持したことを特徴とする。
【０００９】
刈払機においても作業者の負担を軽減する上で、操作杆からエンジンなどの振動を操作ハンドルに伝わらぬように配慮することが望まれる。
そこで、連結部材を、操作杆側に取付ける球面ブッシュと、この球面ブッシュに回転可能に被せたカップ部材とから構成し、カップ部材に操作ハンドルを取付けることで、この操作ハンドルを操作杆に対して揺動可能に支持した。
【００１０】
すなわち、連結部材を、操作杆側に取付ける球面ブッシュと、この球面ブッシュに回転可能に被せたカップ部材とから構成し、カップ部材に操作ハンドルを取付けることで、この操作ハンドルを操作杆に対して揺動可能に支持することができ、操作枠の振動を球面ブッシュ及びカップ部材で吸収させることができる。この結果、操作枠の振動を操作ハンドルに伝わりにくくすることができる。
【００１１】
【発明の実施の形態】
本発明の実施の形態を添付図に基づいて以下に説明する。なお、図面は符号の向きに見るものとする。
図１は本発明に係る刈払機の側面図であり、刈払機１０は、パイプで形成した操作杆１１と、この操作杆１１の一端１２に回転可能に取付けた作業手段としての刈刃１３と、操作杆１１の他端１４に取付けた動力源としてのエンジン１５と、このエンジン１５で刈刃１３を駆動するために操作杆１１を貫通させた駆動軸１６と、操作杆１１の途中としての中間部１７に取付けた操作ハンドル２０と、からなる。
【００１２】
なお、操作杆１１は、肩掛け用吊りベルト２１を掛けるベルト掛け部２２と、刈刃１３の回転で小石や刈り草などが飛ぶのを防止する飛散物防護カバー２３とを備える。また、エンジン１５は、燃料を貯留する燃料タンク２４を備える。図中、２５は操作ハンドル２０からベルト掛け部２２を経由させエンジン１５に延した操作ケーブルを示す。
【００１３】
図２は図１の２−２線断面図であり、操作杆１１の中央に駆動軸１６を貫通させ、エンジン１５の動力を刈刃１３（図１参照）に伝達できることを示す。
また、刈払機１０は、操作杆１１に連結部材としてのハンドルホルダ３２を介して操作ハンドル２０を取付け、この操作ハンドル２０の両端に左右のグリップ２６，２７を嵌合させ、右のグリップ２７にエンジン１５の回転数を調整するとともにエンジン１５の回転を刈刃１３（図１参照）に伝達若しくは非伝達にするスロットルレバー２８を設けたことを示す。
【００１４】
図３は本発明に係る刈払機の使用状態を示す説明図である。
一般的に、作業者Ｍは、操作杆１１のベルト掛け部２２に肩掛け用吊りベルト２１を掛け、この肩掛け用吊りベルト２１で肩に刈払機１０を吊り下げ、両手で左右のグリップ２６，２７を握り、右のグリップ２７のスロットルレバー２８に指を掛け、エンジン１５の回転数を調整しつつ刈刃を回転させ、操作杆１１を左右に振りながら前後に歩行し、草刈り作業を行う。図中、２９は雑草示す。
【００１５】
草刈り作業のときに、エンジン１５や刈刃１３の回転などで発生する振動は、操作杆１１を振動させ、この操作杆１１から操作ハンドル２０へと伝わり、この操作ハンドル２０から作業者Ｍに振動が伝わる。
一般的に、操作枠からの振動伝達方向Ａは、操作ハンドル２０に垂直に伝わる。そこで、操作杆１１から操作ハンドル２０に振動が伝わるときに、操作杆１１に対して操作ハンドル２０を揺動させることで、振動が伝わりにくくすることができると考えられる。
【００１６】
図４は本発明に係る刈払機の操作ハンドルの正面図であり、操作ハンドル２０は、パイプで形成したハンドル本体３１と、このハンドル本体３１の両端に取付けた左右のグリップ２６，２７と、からなり、操作杆１１に取付けるためのハンドルホルダ３２を備える。
右のグリップ２７は、エンジン１５の回転数を調整するとともにエンジンの回転を刈刃に伝達／非伝達にするスロットルレバー２８を備える。
【００１７】
図中、３３はハンドルホルダ３２を介して操作杆１１に取付ける操作ハンドル２０（ハンドル本体３１）の操作杆取付け部位、３４，３５はハンドル本体３１の左右のハンドル連続部、３６，３７は左右のグリップ嵌合部を示す。
二点鎖線は振動を模擬的に例示したものであり、４１，４２は振動の弦、４３〜４６は振動の節を示す。
【００１８】
次に左のグリップ２６を説明する。
図５（ａ），（ｂ）は本発明に係る刈払機の左のグリップの構成図であり、（ａ）は左のグリップの断面構造を示し、（ｂ）は（ａ）のｂ−ｂ線断面構造を示す。
（ｂ）に示すように、左のグリップ２６は、ハンドル本体３１を挟み込むようにした２分割グリップであり、第１グリップ半体５１と第２グリップ半体５２とを重ね合わせて２個の取付けねじ５３，５４にて固定したものである。
詳細には、ハンドル本体３１に開けた貫通孔５７に取付けねじ５４を貫通させ、この取付けねじ５４でハンドル本体３１及び第１・第２グリップ半体５１，５２を共締めすることで、ハンドル本体３１に左のグリップ２６を取付けるようにしたものである。
【００１９】
第１・第２グリップ半体５１，５２は、長手方向に一定の間隔を有してハンドル本体３１の外周面に対向する複数の環状リブ５８・・・（・・・は複数を示す。以下同じ）を一体に形成したものであり、ハンドル本体３１の外周面と環状リブ５８・・・の先端との間の隙間で逃げ部５９・・・を構成する。
【００２０】
すなわち、左のグリップ２６は、ハンドル本体３１に取付けねじ５４で取付ける取付け部分５５を除いて、グリップ部分５６をハンドル本体３１に浮かすために逃げ部５９・・・を備えることで、取付け部分５５を除いてグリップ部分５６をハンドル本体３１から浮かすことができる。
なお、右のグリップ２７（図２参照）についても略同一構成であり、詳細な説明を省略する。
【００２１】
図６は本発明に係る刈払機のハンドルホルダの側面断面図であり、ハンドルホルダ３２は、操作杆１１側に取付ける球面ブッシュ６１と、この球面ブッシュ６１に回転可能に被せたカップ部材６２とからなる。
球面ブッシュ６１は、一対の半割り部材６３，６３を操作杆１１に取付ける部材であり、半割り部材６３は、操作杆１１の支持孔６４に嵌合させる突起部６５と、カップ部材６２に接触させる球面部６６と、を備える。
【００２２】
カップ部材６２は、球面ブッシュ６１を回転可能に被せる一対の前・後ホルダ６７，６８と、これらの前・後ホルダ６７，６８を結合するボルト６９・・・及びボルト７１，７１（１個のみ示す）と、から構成する部材である。言い換えれば、カップ部材６２は、ボルト６９・・・及びボルト７１，７１で前ホルダ６７に後ホルダ６８をボルト締めすることで、球面ブッシュ６１を回転可能（揺動可能）に取付けるとともに操作ハンドル２０を固定する部材であると言える。
【００２３】
前ホルダ６７は、球面ブッシュ６１を回転自在に支持する支持部７２と、操作ハンドル２０を取付ける取付け部７３と、ボルト６９・・・をねじ込む雌ねじ部７４・・・と、ボルト７１，７１をねじ込む雌ねじ部７５，７５（１個のみ示す）と、を備える。
後ホルダ６８は、球面ブッシュ６１を回転自在に支持する支持部７６と、操作ハンドル２０を取付ける取付け部７７と、ボルト６９・・・を貫通させる貫通孔７８・・・と、ボルト７１，７１を貫通させる貫通孔７９，７９と、を備える。
【００２４】
図７は本発明に係る刈払機のハンドルホルダの動きを示す説明図であり、刈払機１０は、一端１２（図１参照）に刈刃１３を設けるとともに他端にエンジン１５を設ける操作杆１１と、この操作杆１１の途中（中間部）１７に連結部材（ハンドルホルダ）３２を介して取付ける操作ハンドル２０と、を備えた刈払機において、ハンドルホルダ３２を、操作杆１１側に取付ける球面ブッシュ６１と、この球面ブッシュ６１に回転可能に被せたカップ部材６２とから構成し、カップ部材６２に操作ハンドル２０を取付けることで、この操作ハンドル２０を操作杆１１に対して揺動可能に支持したものと言える。従って、刈払機１０は、操作杆１１に対して操作ハンドル２０を矢印Ｂの如く揺動させることができる。
【００２５】
例えば、刈払機においても作業者の負担を軽減する上で、操作杆からエンジンなどの振動を操作ハンドルに伝わらぬように配慮したいものである。
そこで、連結部材（ハンドルホルダ）３２を、操作杆１１側に取付ける球面ブッシュ６１と、この球面ブッシュ６１に回転可能に被せたカップ部材６２とから構成し、カップ部材６２に操作ハンドル２０を取付けることで、この操作ハンドル２０を操作杆１１に対して揺動可能に支持した。
【００２６】
すなわち、連結部材（ハンドルホルダ）３２を、操作杆１１側に取付ける球面ブッシュ６１と、この球面ブッシュ６１に回転可能に被せたカップ部材６２とから構成し、カップ部材６２に操作ハンドル２０を取付けることで、この操作ハンドル２０を操作杆１１に対して揺動可能に支持した。これにより、操作枠１１の振動を球面ブッシュ６１及びカップ部材６２の揺動で吸収させることができる。
この結果、操作枠１１の振動を操作ハンドル２０に伝わりにくくすることができる。
【００２７】
尚、実施の形態では図１に示すように、動力源としてのエンジン１５を用いたが、これに限るものではなく、動力源は電動モータであってもよい。
実施の形態では図６に示すように、連結部材（ハンドルホルダ）３２を球面ブッシュ６１及びカップ部材６２から構成したが、このらの球面ブッシュ６１及びカップ部材６２の少なくとも一つを、硬質ゴム等の弾性部材を用いて形成したものであってもよい。すなわち、連結部材（ハンドルホルダ）に硬質ゴム等の弾性部材を用いることで、球面ブッシュ及びカップ部材の振動吸収効果をさらに促進することができる。
【００２８】
【発明の効果】
本発明は上記構成により次の効果を発揮する。
請求項１では、連結部材を、操作杆側に取付ける球面ブッシュと、この球面ブッシュに回転可能に被せたカップ部材とから構成し、カップ部材に操作ハンドルを取付けることで、この操作ハンドルを操作杆に対して揺動可能に支持したので、操作ハンドルを操作杆に対して揺動可能に支持することができ、操作枠の振動を球面ブッシュ及びカップ部材で吸収させることができる。この結果、操作枠の振動を操作ハンドルに伝わりにくくすることができる。
【図面の簡単な説明】
【図１】本発明に係る刈払機の側面図
【図２】図１の２−２線断面図
【図３】本発明に係る刈払機の使用状態を示す説明図
【図４】本発明に係る刈払機の操作ハンドルの正面図
【図５】本発明に係る刈払機の左のグリップの構成図
【図６】本発明に係る刈払機のハンドルホルダの側面断面図
【図７】本発明に係る刈払機のハンドルホルダの動きを示す説明図
【図８】特許文献１の第２図の再掲図
【符号の説明】
１０…刈払機、１１…操作枠、１２…一端、１３…作業手段（刈刃）、１４…他端、１５…動力源（エンジン）、１７…途中（中間部）、２０…操作ハンドル、３２…連結部材（ハンドルホルダ）、６１…球面ブッシュ、６２…カップ部材。
【図１】
2005006528.tif 000003
【図２】
2005006528.tif 000004
【図３】
2005006528.tif 000005
【図４】
2005006528.tif 000006
【図５】
2005006528.tif 000007
【図６】
2005006528.tif 000008
【図７】
2005006528.tif 000009
【図８】
2005006528.tif 000010